(57)【要約】 【課題】  再生画像の操作を簡単に行なうことができる撮影装置を提供する。【解決手段】  レンズ１０１を経由して入射してきた被写体光をＣＣＤ１０２で捉えてアナログ画像信号を生成し、そのアナログ画像信号を信号処理装置１０３で処理して得られた画像データを記録メディア１０６に記録するとともに、抽出部１１０を構成する顔評価値算出装置１１１でそのアナログ画像信号に基づいて人の顔らしさの評価値を算出し、その評価値に基づいて一番顔らしい位置情報を顔位置検出装置１１２で検出して得られた顔位置データを記録メディア１０６に記録しておき、再生時にズームスイッチ１８を操作して画像上の顔位置に対応する人の顔を表わす部位を中心に拡大や縮小を行なう。【選択図】  図２
2007195099.tif 000002
【特許請求の範囲】
【請求項１】
撮影操作を受けて被写体の画像データを生成して記録し、再生操作を受けて、記録済の画像データに基づく画像を表示する撮影装置において、
撮影時に生成された画像データに基づいて画像上の特徴のある部位の位置を抽出する抽出部と、
撮影時に生成された画像データと、該画像データに基づいて前記抽出部で抽出された位置とを相互に対応づけて記録する記録部と、
再生時に、記録済の画像データに基づく画像を表示するとともに該表示を該画像データに対応づけられた位置情報に応じて切り替える表示部とを備えたことを特徴とする撮影装置。
【請求項２】
前記抽出部は、画像上の顔位置を抽出するものであることを特徴とする請求項１記載の撮影装置。
【請求項３】
前記抽出部は、画像上の合焦位置を抽出するものであることを特徴とする請求項１記載の撮影装置。
【請求項４】
この撮影装置は、操作に応じて、画像の一部を拡大して表示する拡大表示機能を有するものであって、前記表示部は、再生画像の拡大表示操作を受けて、該再生画像に対応する前記位置を中心に拡大した画像の表示に切り替えるものであることを特徴とする請求項１記載の撮影装置。
【発明の詳細な説明】
【技術分野】
【０００１】
本発明は、撮影操作を受けて被写体の画像データを生成して記録し、再生操作を受けて、記録済の画像データに基づく画像を表示する撮影装置に関する。
【背景技術】
【０００２】
従来より、撮影装置の一つであるデジタルカメラにおいて、そのデジタルカメラに備えられた表示画面上に表示される画像を確認するための操作を容易にする技術がいくつか提案されている。例えば、撮影時に合焦位置を表示画面上に拡大して表示することにより、画像中のいずれの位置が合焦しているのかを容易に確認することができるデジタルカメラが提案されている（特許文献１参照）。また、撮影時に表示画面上に表示されている主被写体に対して適切なズームアップを行なうことができるデジタルカメラが提案されている（特許文献２参照）。
【特許文献１】特開２００４−２４２００９号公報
【特許文献２】特開２００５−３３５０８号公報
【発明の開示】
【発明が解決しようとする課題】
【０００３】
従来の、上述した特許文献１，２に提案されたデジタルカメラを含む撮影装置において、撮影装置に備えられた表示画面上に、撮影して得られた画像（再生画像と称する）を表示しておき、その再生画像を確認するために拡大操作を行なう場合がある。その場合、表示画面に表示されている再生画像の中央を中心にして拡大表示される。ここで、再生画像における人の顔を表わす部位の位置が、その再生画像の中央から外れている場合、拡大するに従って人の顔が見えなくなる場合がある。そこで、例えばズームスイッチを操作して再生ズームモードに設定し、次いで十字キーを操作してその部位の位置を表示画面上の中央に移動し、再びズームスイッチを操作してその部位を拡大するというような操作が必要とされる。従って、再生画像の操作が煩雑であるという問題がある。
【０００４】
本発明は、上記事情に鑑み、再生画像の操作を簡単に行なうことができる撮影装置を提供することを目的とする。
【課題を解決するための手段】
【０００５】
上記目的を達成する本発明の撮影装置は、撮影操作を受けて被写体の画像データを生成して記録し、再生操作を受けて、記録済の画像データに基づく画像を表示する撮影装置において、
撮影時に生成された画像データに基づいて画像上の特徴のある部位の位置を抽出する抽出部と、
撮影時に生成された画像データと、その画像データに基づいて上記抽出部で抽出された位置とを相互に対応づけて記録する記録部と、
再生時に、記録済の画像データに基づく画像を表示するとともにその表示をその画像データに対応づけられた位置情報に応じて切り替える表示部とを備えたことを特徴とする。
【０００６】
本発明の撮影装置は、撮影時に生成された画像データと、その画像データに基づいて抽出された画像上の特徴のある部位の位置とを相互に対応づけて記録しておき、再生時に、記録済の画像データに基づいて表示された画像を、その画像データに対応づけられた位置情報に応じて切り替えるものである。このため、再生時に、例えば画像上の特徴のある部位の位置が画像の中央から外れている場合であってその部位を拡大（あるいは縮小）する場合であっても、その部位に対応する位置情報を基に拡大（あるいは縮小）の中心位置が決定され、ズームスイッチを操作するだけで、その部位を拡大（あるいは縮小）することができる。従って、簡単な操作で、特徴のある部位を中心に拡大したり縮小したりすることができ、再生画像の操作が簡素化される。
【０００７】
ここで、上記抽出部は、画像上の顔位置を抽出するものであることが好ましい。
【０００８】
このようにすると、再生時に人の顔を表わす部位の位置が画像の中央から外れている場合であっても、ズームスイッチを操作するだけで、拡大するに従って人の顔が見えなくなるということもなく、その部位を中心に拡大したり縮小したりすることができる。従って、再生画像上の、人の顔を表わす部位の操作を簡単に行なうことができる。
【０００９】
また、上記抽出部は、画像上の合焦位置を抽出するものであることも好ましい態様である。
【００１０】
このようにすると、再生時に、ズームスイッチを操作するだけで画像上の合焦位置に対応する部位を中心に拡大したり縮小したりすることができる。従って、再生画像上の、合焦位置に対応する部位の操作を簡単に行なうことができる。
【００１１】
さらに、この撮影装置は、操作に応じて、画像の一部を拡大して表示する拡大表示機能を有するものであって、上記表示部は、再生画像の拡大表示操作を受けて、その再生画像に対応する上記位置を中心に拡大した画像の表示に切り替えるものであることも好ましい。
【００１２】
このようにすると、再生時に、簡単な操作で、人の顔や合焦位置に対応する部位等を確実に確認することができる。
【発明の効果】
【００１３】
本発明によれば、再生画像の操作を簡単に行なうことができる撮影装置を提供することができる。
【発明を実施するための最良の形態】
【００１４】
以下、本発明の実施の形態について図を参照して構成を説明する。
【００１５】
図１は、本発明の撮影装置の第１実施形態であるデジタルカメラを上方から見た上面図（図１（ａ））、正面から見た正面図（図１（ｂ））および背面から見た背面図（図１（ｃ））である。
【００１６】
このデジタルカメラ１は、撮影操作を受けて被写体の画像データを生成して記録し、再生操作を受けて、記録済の画像データに基づく画像を表示するデジタルカメラである。このデジタルカメラ１は、図１（ａ），図１（ｂ）に示すようにカメラボディ１ａの中央にレンズ鏡胴１０が配備されている。また、このカメラボディ１ａの上面にはパワーボタン１１が配備されており、このパワーボタン１１が操作されたら、図１（ａ），（ｂ）に示すようにレンズ鏡胴１０が繰出されて撮影準備が整えられるようになっている。
【００１７】
さらに、カメラボディ１ａの上面には、電源投入用のパワーボタン１１のほか、レリーズボタン１２とそのレリーズボタン１２の廻りに撮影モードダイヤル１２＿１とが配備されており、この撮影モードダイヤル１２＿１がＡＵＴＯに切り替えられているときにレリーズボタン１２が押されて撮影が行なわれるときにはデジタルカメラ１の内部に自動的に撮影条件が設定されて撮影が行なわれる。また、この撮影モードダイヤル１２＿１が動画撮影モード（符号Ｍ）に切り替えられると、動画撮影が行なわれるようになり、シーンポジション（符号ＳＰ）側に切り替えられると、撮影シーンに応じた撮影条件がデジタルカメラ１の内部に自動的に設定されて撮影が行なわれるようになる。
【００１８】
また、図１（ｃ）に示すように、カメラボディ１ａの背面側には、表示装置１３が設けられており、撮影モード時には、この表示装置１３上に被写体が表示されたり、メニューが表示されたりする。この撮影モードにあるときに表示装置１３の脇にある再生ボタン１４が一度押されると、再生モードに切り替わり既撮影画像が表示装置１３上に表示され、この再生ボタン１４が再度押されると、撮影モードに切り替わりスルー画像が表示装置１３上に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００１９】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００２０】
さらに、十字キー１６の下方には、表示装置１３の表示を切り換えたり操作を途中でやめるときなどに使用されるＤＳＰ／ＢＡＣＫボタン２１が配備されている。
【００２１】
また、図１（ｂ）に示すカメラボディ１ａの正面には測光センサ３１やフラッシュ発光窓４１が配備されており、フラッシュ発光が必要な場合にはそのフラッシュ発光窓４１からフラッシュが被写体に向けて発光されるようになっている。
【００２２】
図２は、図１に示すデジタルカメラの内部構成を示す図である。
【００２３】
このデジタルカメラ１には、図１（ａ），図１（ｂ）に示すレンズ鏡胴１０に備えられたズームレンズやフォーカスレンズ等のレンズ１０１と、ＣＣＤ１０２が備えられている。ＣＣＤ１０２は、レンズ１０１を経由してきた被写体光を捉える固体撮像素子であり、このＣＣＤ１０２には、入射された被写体光を電気信号であるアナログの画像信号に変換するフォトダイオード等の光電変換素子が多数個備えられている。
【００２４】
また、このデジタルカメラ１には、撮影時に生成された画像データに基づいて画像上の特徴のある部位の位置を抽出する抽出部１１０が備えられている。具体的には、この抽出部１１０は、画像上の顔位置を抽出するものであり、この抽出部１１０には、顔評価値算出装置１１１と、顔位置検出装置１１２が備えられている。
【００２５】
顔評価値算出装置１１１は、ＣＣＤ１０２から出力されたアナログ画像信号に基づいて人の顔らしさの評価値を算出して顔位置検出装置１１２に出力する。
【００２６】
顔位置検出装置１１２は、顔評価値算出装置１１１からの評価値に基づいて一番顔らしい顔位置情報を検出する。
【００２７】
さらに、このデジタルカメラ１には、ＣＣＤ１０２から出力されたアナログ画像信号をデジタル画像信号にアナログ／デジタル変換する処理等を行なってデジタルの画像データを生成する信号処理装置１０３が備えられている。
【００２８】
また、このデジタルカメラ１には、このデジタルカメラ１全体の制御を行なうＣＰＵ１０４と、画像データを一時的に格納したり作業領域用のメモリとして使用されるメモリ１０５が備えられている。
【００２９】
さらに、このデジタルカメラ１には、前述した再生ボタン１４、ズームスイッチ１８、およびパワーボタン１１，レリーズボタン１２，撮影モードダイヤル１２＿１，Ｆボタン１５，十字キー１６,ＯＫ／メニューボタン１７,ズームスイッチ１８,ＤＳＰ／ＢＡＣＫボタン２１を有する操作子郡２０が備えられている。
【００３０】
また、このデジタルカメラ１には、図１（ｂ）に示す測光センサ３１を有する測光部３０と、フラッシュ発光窓４１から被写体に向けてフラッシュを発光するフラッシュ発光部４０が備えられている。
【００３１】
さらに、このデジタルカメラ１には、撮影時に生成された画像データと、その画像データに基づいて上記抽出部１１０で抽出された位置とを相互に対応づけて記録する記録メディア１０６（本発明にいう記録部の一例に相当）が備えられている。
【００３２】
また、このデジタルカメラ１には、拡大縮小表示制御装置１０７と、前述した図１（ｃ）に示す表示装置１３が備えられている。
【００３３】
拡大縮小表示制御装置１０７は、操作に応じて、画像の一部を拡大して表示する拡大表示機能および画像の一部を縮小して表示する縮小表示機能を有する。
【００３４】
表示装置１３は、本発明にいう表示部の一例に相当するものであって、この表示装置１３は、再生画像の拡大表示操作を受けて、即ちズームスイッチ１８の望遠ズームボタンＴ（図１（ｃ）参照）を押すことにより、再生画像上の顔位置を中心に拡大した画像の表示に切り替える。また、この表示装置１３は、ズームスイッチ１８の広角ズームボタンＷを押すことにより、再生画像上の顔位置を中心に縮小した画像の表示に切り替える。
【００３５】
図３は、従来のデジタルカメラと第１実施形態のデジタルカメラとの、表示装置に表示される再生画像の操作の相違を説明するための図である。
【００３６】
従来のデジタルカメラでは、図３の左側に示すように、表示画面上に表示されている画像の中央位置Ｐ０を中心にして拡大表示される。ここで、画像上の人の顔を表わす部位の位置が再生画像の中央位置Ｐ０から外れている場合、拡大するに従って人の顔が見えなくなる場合がある。そこで、ズームスイッチを操作して再生ズームモードに設定し、次いで十字キーを操作してその顔の位置を表示画面上の中央位置Ｐ０に移動し、さらにズームスイッチを操作してその顔を表わす部位を拡大するというような操作が必要とされる。従って、再生画像の操作は煩雑である。
【００３７】
一方、第１実施形態のデジタルカメラ１は、撮影時に生成された画像データと、その画像データに基づいて抽出された画像上の顔位置とを相互に対応づけて記録しておき、再生時に、記録済の画像データに基づいて表示された画像を、その画像データに対応づけられた顔位置情報に応じて切り替えるものである。このため、人の顔を表わす部位の位置が再生画像の中央位置から外れた位置にある場合であってその部位を拡大（あるいは縮小）する場合であっても、その部位に対応する顔位置情報を基に拡大（あるいは縮小）の中心位置Ｐ１が決定され、ズームスイッチ１８を操作するだけで、その部位を拡大（あるいは縮小）することができる。従って、簡単な操作で、人の顔を表わす部位を中心に拡大したり縮小したりすることができ、再生画像の操作が簡素化される。
【００３８】
図４は、第１実施形態のデジタルカメラにおいて、画像の中央から外れている部位を中心に拡大操作する様子を示す図である。
【００３９】
図４（ａ）に示すように、第１実施形態のデジタルカメラ１に備えられた表示装置１３には、画像の中央から外れた位置に人の顔を表わす部位１３ａが表示されている。ここで、ズームスイッチ１８の望遠ズームボタンＴを所定時間だけ押すと、図４（ｂ）に示すように、その部位１３ａの位置を中心に画像が拡大表示される。さらに、ズームスイッチ１８の望遠ズームボタンＴを押すと、図４（ｃ）に示すように、その部位１３ａの位置を中心に画像がさらに拡大表示される。従って、再生時に画像上の顔位置に対応する人の顔を表わす部位１３ａが画像の中央から外れている場合であっても、拡大するに従って人の顔が見えなくなるということもなく、その部位１３ａを中心に簡単な操作で拡大することができる。
【００４０】
図５は、第１実施形態のデジタルカメラで実行される処理ルーチンのフローを示す図である。
【００４１】
パワーボタン１１が押されると、このデジタルカメラ１に電源が投入されて、この処理ルーチンが起動する。先ず、ステップＳ１において、撮影モードダイヤル１２＿１がＡＵＴＯに切り替えられているときにレリーズボタン１２が押された場合は記録モードが選択されてステップＳ２に進む。
【００４２】
ステップＳ２では画像の取り込みを行なう。これにより、被写体を表わすアナログ画像データであるＣＣＤデータを生成する。
【００４３】
次に、ステップＳ３およびステップＳ４に進む。ステップＳ３では、ＣＣＤデータに基づいて顔評価値を算出し、さらにステップＳ５において顔位置を検出して顔位置データ（顔位置情報）を生成してステップＳ６に進む。ステップＳ６では、顔位置データを記録メディア１０６に記録する。また、ステップＳ４では、ＣＣＤデータをアナログ／デジタル変換する等の信号処理を行なってデジタルの画像データを生成してステップＳ６に進み、ステップＳ６においてその画像データを記録メディア１０６に記録する。
【００４４】
一方、前述したステップＳ１において、再生ボタン１４が一度押されて再生モードに切り替えられた場合は、ステップＳ７に進む。
【００４５】
ステップＳ７では、記録メディア１０６からデータを読み出す。これにより、画像データと顔位置データを得る。
【００４６】
次に、ステップＳ８において、ズームスイッチ１８の望遠ズームボタンＴが押されたかあるいは広角ズームボタンＷが押されたかが判定される。望遠ズームボタンＴが押されたと判定された場合はステップＳ９に進む。ステップＳ９では顔位置を中心に拡大表示してステップＳ８に戻る。一方、広角ズームボタンＷが押されたと判定された場合はステップＳ１０に進む。ステップＳ１０では顔位置を中心に縮小表示してステップＳ８に戻る。このようにして、撮影時に生成された画像データと顔位置データとを相互に対応づけて記録メディア１０６に記録しておき、再生時にズームスイッチ１８を操作して画像上の顔位置に対応する人の顔を表わす部位を中心に拡大や縮小を行なう。
【００４７】
図６は、本発明の撮影装置の第２実施形態のデジタルカメラの内部構成を示す図である。
【００４８】
尚、この図６に示すデジタルカメラ２の外観図は、図１に示すデジタルカメラの外観図と同じであるため、図示省略する。また、前述した図２に示すデジタルカメラ１の構成要素と同じ構成要素には同一の符号を付し、異なる点について説明する。
【００４９】
図６に示すデジタルカメラ２は、図２に示すデジタルカメラ１と比較し、画像上の顔位置を抽出する抽出部１１０が、画像上の合焦位置を抽出する抽出部２１０に置き換えられている点が異なっている。
【００５０】
この抽出部２１０には、ＡＦ評価値算出装置２１１と、合焦位置検出装置２１２が備えられている。
【００５１】
ＡＦ評価値算出装置２１１は、ＣＣＤ１０２から出力されたアナログ画像信号に基づいてＡＦ評価値を算出して合焦位置検出装置２１２に出力する。詳細には、このＡＦ評価値算出装置２１１は、ＣＣＤ１０２の、被写体像が形成される領域を複数の領域部（ＡＦエリアと称する）に分割し、それぞれのＡＦエリアについてＡＦ評価値を算出する。
【００５２】
合焦位置検出装置２１２は、ＡＦ評価値算出装置２１１からのＡＦ評価値に基づいて合焦位置を検出する。詳細には、この合焦位置検出装置２１２は、ＡＦ評価値算出装置２１１からの複数のＡＦエリアで算出されたＡＦ評価値の最大値を合焦位置として検出する。
【００５３】
第２実施形態のデジタルカメラ２は、画像上の合焦位置を抽出する抽出部２１０を備えたものであるため、再生時に画像上の合焦位置に対応する部位を中心に拡大したり縮小したりすることができ、従って再生画像の操作を簡単に行なうことができる。
【００５４】
図７は、第２実施形態のデジタルカメラで実行される処理ルーチンのフローを示す図である。
【００５５】
パワーボタン１１が押されると、デジタルカメラ２に電源が投入されて、この処理ルーチンが起動する。先ず、ステップＳ２１において、撮影モードダイヤル１２＿１がＡＵＴＯに切り替えられているときにレリーズボタン１２が押された場合は記録モードが選択されてステップＳ２２に進む。
【００５６】
ステップＳ２２では画像の取り込みを行なう。これにより、被写体を表わすアナログ画像データであるＣＣＤデータを生成する。
【００５７】
次に、ステップＳ２３およびステップＳ２４に進む。ステップＳ２３では、ＣＣＤデータに基づいてＡＦ評価値を算出し、さらにステップＳ２５において合焦位置を検出して合焦位置データを生成してステップＳ２６に進む。ステップＳ２６では、合焦位置データを記録メディア１０６に記録する。また、ステップＳ２４では、ＣＣＤデータをアナログ／デジタル変換する等の信号処理を行なってデジタルの画像データを生成してステップＳ２６に進み、ステップＳ２６においてその画像データを記録メディア１０６に記録する。
【００５８】
一方、前述したステップＳ２１において、再生ボタン１４が一度押されて再生モードに切り替えられた場合は、ステップＳ２７に進む。
【００５９】
ステップＳ２７では、記録メディア１０６からデータを読み出す。これにより、画像データと合焦位置データを得る。
【００６０】
次に、ステップＳ２８において、ズームスイッチ１８の望遠ズームボタンＴが押されたかあるいは広角ズームボタンＷが押されたかが判定される。望遠ズームボタンＴが押されたと判定された場合はステップＳ２９に進む。ステップＳ２９では合焦位置を中心に拡大表示してステップＳ２８に戻る。一方、広角ズームボタンＷが押されたと判定された場合はステップＳ３０に進む。ステップＳ３０では合焦位置を中心に縮小表示してステップＳ２８に戻る。このようにして、撮影時に生成された画像データと合焦位置データとを相互に対応づけて記録メディア１０６に記録しておき、再生時にズームスイッチ１８を操作して画像上の合焦位置に対応する部位を中心に拡大や縮小を行なう。
【００６１】
尚、上述した第１,第２実施形態では、デジタルカメラの例で説明したが、これに限られるものではなく、携帯電話に搭載されるカメラやビデオカメラ等であってもよく、本発明は、撮影操作を受けて被写体の画像データを生成して記録し、再生操作を受けて、記録済の画像データに基づく画像を表示する撮影装置であればよい。
【図面の簡単な説明】
【００６２】
【図１】本発明の撮影装置の第１実施形態であるデジタルカメラを上方から見た上面図、正面から見た正面図および背面から見た背面図である。
【図２】図１に示すデジタルカメラの内部構成を示す図である。
【図３】従来のデジタルカメラと第１実施形態のデジタルカメラとの、表示装置に表示される再生画像の操作の相違を説明するための図である。
【図４】第１実施形態のデジタルカメラにおいて、画像の中央から外れている部位を中心に拡大操作する様子を示す図である。
【図５】第１実施形態のデジタルカメラで実行される処理ルーチンのフローを示す図である。
【図６】本発明の撮影装置の第２実施形態のデジタルカメラの内部構成を示す図である。
【図７】第２実施形態のデジタルカメラで実行される処理ルーチンのフローを示す図である。
【符号の説明】
【００６３】
１，２  デジタルカメラ
１ａ  カメラボディ
１０  レンズ鏡胴
１１  パワーボタン
１２  レリーズボタン
１２＿１  撮影モードダイヤル
１３  表示装置
１３ａ  部位
１４  再生ボタン
１５  Ｆボタン
１６  十字キー
１７  ＯＫ／メニューボタン
１８  ズームスイッチ
２０  操作子群
２１  ＤＳＰ／ＢＡＣＫボタン
３０  測光部
３１  測光センサ
４０  フラッシュ発光部
４１  フラッシュ発光窓
１０１  レンズ
１０２  ＣＣＤ
１０３  信号処理装置
１０４  ＣＰＵ
１０５  メモリ
１０６  記録メディア
１０７  拡大縮小表示制御装置
１１０,２１０  抽出部
１１１  顔評価値算出装置
１１２  顔位置検出装置
２１１  ＡＦ評価値算出装置
２１２  合焦位置検出装置
【図１】
2007195099.tif 000003
【図２】
2007195099.tif 000004
【図３】
2007195099.tif 000005
【図４】
2007195099.tif 000006
【図５】
2007195099.tif 000007
【図６】
2007195099.tif 000008
【図７】
2007195099.tif 000009